(57)【要約】      （修正有）【課題】特に基板周縁にできたバリと移送ホイールとの接触及び摩擦による基板の破損問題を解決する湿式工程用基板の移送トレーを提供する。【解決手段】プレート１０と、該プレートに形成される少なくとも１つの基板用位置決め孔１１と、該基板用位置決め孔の内周壁に形成される複数の係止突起部１２とを備えると共に、該基板用位置決め孔の上部とプレートの上面との間に、該基板用位置決め孔に嵌入されると共に、該係止突起部に係止される基板を収容するための空間が形成されることを特徴とする。【選択図】図１
0003158395.tif 000002
【実用新案登録請求の範囲】
【請求項１】
プレートと、該プレートに形成される少なくとも１つの基板用位置決め孔と、該基板用位置決め孔の内周壁に形成される複数の係止突起部とを備えると共に、該基板用位置決め孔の上部とプレートの上面との間に、該基板用位置決め孔に嵌入されると共に、該係止突起部に係止される基板を収容するための空間が形成されることを特徴とする湿式工程用基板の移送トレー。
【請求項２】
前記プレートに、同一のサイズ及び形状を呈する複数の基板用位置決め孔が形成されることを特徴とする請求項１に記載の湿式工程用基板の移送トレー。
【請求項３】
前記プレートに、異なるサイズ及び形状を呈する複数の基板用位置決め孔が形成されることを特徴とする請求項１に記載の湿式工程用基板の移送トレー。
【請求項４】
前記基板用位置決め孔は矩形であり、
該基板用位置決め孔の四つ角に夫々角保護凹部が形成されることを特徴とする請求項１乃至請求項３に記載の湿式工程用基板の移送トレー。
【請求項５】
前記基板用位置決め孔の内周壁における、相対する位置に夫々取扱凹部が形成されることを特徴とする請求項１乃至請求項３に記載の湿式工程用基板の移送トレー。
【請求項６】
前記基板用位置決め孔の内周壁における、相対する位置に夫々取扱凹部が形成されることを特徴とする請求項４に記載の湿式工程用基板の移送トレー。
【考案の詳細な説明】
【技術分野】
【０００１】
本考案は、特にエッチング又は洗浄などの湿式工程において、ガラスなど透明材料からなる基板を移送するための湿式工程用基板の移送トレーに関するものである。
【背景技術】
【０００２】
例えば、タッチパネル用ガラス基板を加工する時には、エッチング装置により図案を描く工程や、表面を洗浄する洗浄工程を施す。
【先行技術文献】
【特許文献】
【０００３】
【特許文献１】特許公表２００７−５２９１０６号公報
【考案の開示】
【考案が解決しようとする課題】
【０００４】
しかしながら、このようなエッチング又は洗浄工程を施す前には、所定のサイズに切断されたガラス基板の周縁にバリができてしまう。そして、このバリを有するガラス基板が移送ホイールセットに移送されると、エッチング設備又は洗浄設備を通過する時に、ガラス基板のバリがホイールと接触し摩擦するので、バリに作用する摩擦力により、該ガラス基板に亀裂を発生させる恐れがあった。
タッチパネル用ガラス基板は、厚さが０．５〜０．８ｍｍしかなく、割れ易いものであり、また、従来のエッチング設備や洗浄設備に設置される移送ホイールセットは、該ガラス基板を好適に保護することができなく、さらに、タッチパネル用ガラス基板の周縁には入力電極が設けられることから、エッチングや洗浄など湿式工程を行う時、バリと移送ホイールとの接触及び摩擦により、入力電極を破壊し、パネルの歩留まりを低下させる恐れがあった。
【０００５】
そこで、案出されたのが本考案であって、基板周縁にできたバリと移送ホイールとの接触及び摩擦による基板の破損の問題を解決する湿式工程用基板の移送トレーを提供することを目的としている。
【課題を解決するための手段】
【０００６】
本願の請求項１の考案は、プレートと、該プレートに形成される少なくとも１つの基板用位置決め孔と、該基板用位置決め孔の内周壁に形成される複数の係止突起部とを備えると共に、該基板用位置決め孔の上部とプレートの上面との間に、該基板用位置決め孔に嵌入されると共に、該係止突起部に係止される基板を収容するための空間が形成されることを特徴とする湿式工程用基板の移送トレー、を提供する。
【０００７】
本願の請求項２の考案は、前記プレートに、同一のサイズ及び形状を呈する複数の基板用位置決め孔が形成されることを特徴とする請求項１に記載の湿式工程用基板の移送トレー、を提供する。
【０００８】
本願の請求項３の考案は、前記プレートに、異なるサイズ及び形状を呈する複数の基板用位置決め孔が形成されることを特徴とする請求項１に記載の湿式工程用基板の移送トレー、を提供する。
【０００９】
本願の請求項４の考案は、前記基板用位置決め孔は矩形であり、
該基板用位置決め孔の四つ角に夫々角保護凹部が形成されることを特徴とする請求項１乃至請求項３に記載の湿式工程用基板の移送トレー、を提供する。
【００１０】
本願の請求項５の考案は、前記基板用位置決め孔の内周壁における、相対する位置に夫々取扱凹部が形成されることを特徴とする請求項１乃至請求項３に記載の湿式工程用基板の移送トレー、を提供する。
【００１１】
本願の請求項６の考案は、前記基板用位置決め孔の内周壁における、相対する位置に夫々取扱凹部が形成されることを特徴とする請求項４に記載の湿式工程用基板の移送トレー、を提供する。
【考案の効果】
【００１２】
本考案は上記の課題を解決するものであり、例えばエッチングや洗浄などの工程においては、基板の周縁と移送ホイールとを接触させないように、該基板を移送トレーに載せるので、基板の周縁にできたバリと移送ホイールとの接触及び摩擦による基板の破損を防ぐことができる。
【００１３】
また、基板を前記基板用位置決め孔に収容する時は、基板の角が基板用位置決め孔の内周壁と接触しないように、前記角保護凹部に位置させるので、基板用位置決め孔の内周壁との接触による基板の破損を防ぐことができる。
【００１４】
さらに、前記基板用位置決め孔の内周壁における、相対する位置に夫々取扱凹部を形成することにより、該基板用位置決め孔への基板の着脱作業に対する利便性をより高めることができる。
【考案を実施するための最良の形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１は本考案に係る湿式工程用基板の移送トレー及び基板を示す分解斜視図であり、図２は本考案に係る湿式工程用基板の移送トレーに基板が載せられた状態を示す側面断面図であり、図３は本考案に係る移送トレーに基板が載せられた使用状態を示めす正面図であり、図４は本考案に係る移送トレーに基板が載せられた使用状態を示す側面図であり、図５は基板が載せられた本考案に係る移送トレーを移送ホイールにより移送する使用状態を示す側面図である。
【００１７】
図１及び図２に示すように、本考案に係る湿式工程用基板の移送トレー（１）は、プレート（１０）と、所定の形状を有する湿式工程用基板（２）を収容するための、該プレート（１０）に形成される基板用位置決め孔（１１）と、該基板用位置決め孔（１１）の内周壁に形成される複数の係止突起部（１２）とを備え、該基板用位置決め孔（１１）の上部とプレート（１０）の上面との間に、該基板用位置決め孔（１１）に嵌入されると共に、係止突起部（１２）に係止される基板（２）を収容するための空間が形成されるものである。
【００１８】
前記移送トレー（１）の係止突起部（１２）は、半円状、円弧状、（例えば、三角形など）多角形などの幾何形状を有する突起であっても構わなく、基板（２）を遮蔽せずに、該基板（２）の周縁を係止し保持することができる小体積なものであることが好ましい。
【００１９】
本実施例によれば、前記基板用位置決め孔（１１）は矩形であり、前記プレート（１０）に複数の基板用位置決め孔（１１）が形成される。尚、同一サイズの複数の基板（２）を収容するために、該複数の基板用位置決め孔（１１）が同一サイズ及び形状を呈するものであってもよいが、異なるサイズの基板（２）を収容するために、前記プレート（１０）に、二種類以上サイズや形状が異なる複数の基板用位置決め孔（１１）を形成させてもよい。
【００２０】
さらに、前記移送トレー（１）における前記基板用位置決め孔（１１）の四つ角に夫々角保護凹部（１３）が形成されるが、該角保護凹部（１３）は、円形又は他の幾何形状を呈するものであってもよい。また、前記基板（２）を基板用位置決め孔（１１）に収容する時には、該基板（２）の角が基板用位置決め孔（１１）の内周壁と接触することなく、前記角保護凹部（１３）に位置するので、基板（２）の角と基板用位置決め孔（１１）の内周壁との接触による基板（２）の破損を防ぐことができる。
【００２１】
さらに、前記移送トレー（１）には、前記基板用位置決め孔（１１）の内周壁における、相対する位置に夫々取扱凹部（１４）が形成され、この取扱凹部（１４）により、該基板用位置決め孔（１１）への基板（２）の着脱作業に対する利便性をより高めることができる。
【産業上の利用可能性】
【００２２】
本考案に係る湿式工程用基板の移送トレーは上記の構成を有し、該移送トレーを使用する時は、図１及び図２に示すように、所定のサイズに切断された基板を係止突起部により保持すると共に、該移送トレーの基板用位置決め孔に収容し、そして、図３及び図４に示すように、該基板を載せた移送トレーを、移送ホイールを有するエッチング設備又は洗浄設備に送り込み、エッチング又は洗浄など湿式工程を施すが、図５に示すように、この湿式工程を行う時、該基板は、移送トレーに載せられ、該移送ホイールとは接触、摩擦しないので、基板と移送ホイールとの接触及び摩擦による基板の破損を防ぐことができる。
【図面の簡単な説明】
【００２３】
【図１】本考案に係る湿式工程用基板の移送トレー及び基板を示す分解斜視図である。
【図２】本考案に係る湿式工程用基板の移送トレーに基板が載せられた状態を示す側面断面図である。
【図３】本考案に係る移送トレーに基板が載せられた使用状態を示めす正面図である。
【図４】本考案に係る移送トレーに基板が載せられた使用状態を示す側面図である。
【図５】基板が載せられた本考案に係る移送トレーを移送ホイールにより移送する使用状態を示す側面図である。
【符号の説明】
【００２４】
１ 移送トレー
１０ プレート
１１ 基板用位置決め孔
１２ 係止突起部
１３ 角保護凹部
１４ 取扱凹部
３ 移送ホイール
【図１】
0003158395.tif 000003
【図２】
0003158395.tif 000004
【図３】
0003158395.tif 000005
【図４】
0003158395.tif 000006
【図５】
0003158395.tif 000007
【手続補正書】
【提出日】平成22年1月28日(2010.1.28)
【手続補正１】
【補正対象書類名】実用新案登録請求の範囲
【補正対象項目名】請求項４
【補正方法】変更
【補正の内容】
【請求項４】
前記基板用位置決め孔は矩形であり、
該基板用位置決め孔の四つ角に夫々角保護凹部が形成されることを特徴とする請求項１乃至請求項３のいずれか一項に記載の湿式工程用基板の移送トレー。
【手続補正２】
【補正対象書類名】実用新案登録請求の範囲
【補正対象項目名】請求項５
【補正方法】変更
【補正の内容】
【請求項５】
前記基板用位置決め孔の内周壁における、相対する位置に夫々取扱凹部が形成されることを特徴とする請求項１乃至請求項３のいずれか一項に記載の湿式工程用基板の移送トレー。
【手続補正３】
【補正対象書類名】明細書
【補正対象項目名】０００９
【補正方法】変更
【補正の内容】
【０００９】
本願の請求項４の考案は、前記基板用位置決め孔は矩形であり、
該基板用位置決め孔の四つ角に夫々角保護凹部が形成されることを特徴とする請求項１乃至請求項３のいずれか一項に記載の湿式工程用基板の移送トレー、を提供する。
【手続補正４】
【補正対象書類名】明細書
【補正対象項目名】００１０
【補正方法】変更
【補正の内容】
【００１０】
本願の請求項５の考案は、前記基板用位置決め孔の内周壁における、相対する位置に夫々取扱凹部が形成されることを特徴とする請求項１乃至請求項３のいずれか一項に記載の湿式工程用基板の移送トレー、を提供する。